(57)【特許請求の範囲】
【請求項１】
監視領域の画像を録画する監視カメラシステムであって、
画像を撮像する撮像手段と、
前記撮像手段にて撮像した画像信号を処理する画像処理手段と、
前記画像処理手段と接続され前記画像を録画する録画手段とを有し、
前記録画手段は、操作者によって前記録画を停止操作される操作手段と前記操作者の資格をチェックする資格認証手段を有し、前記資格認証手段にて前記操作者の資格を認証した場合に、前記操作手段の操作を有効とすることを特徴とする監視カメラシステム。
【請求項２】
前記資格認証手段は、カードとカードリーダーとを有して構成される請求項１に記載の監視カメラシステム。
【発明の詳細な説明】
【０００１】
【発明の属する技術分野】
店舗、及び会社等の人の出入りが激しい場所に監視カメラを設置して、不審者の行動を監視、及び録画する監視カメラシステムに関する。
【０００２】
【従来の技術】
従来から、監視場所である店舗内や出入口に監視カメラを設置し、この監視カメラから送信された画像を監視センターにてモニター表示したり、この画像を録画して事後的な証拠とする監視カメラシステムが知られている。
【０００３】
【発明が解決しようとする課題】
しかしながら、上述した従来の監視カメラシステムでは、例えば、不正行為者が、録画装置等を勝手に操作して、録画を停止して録画できないようにしたのち、犯行に及ぶことがある。監視員がモニターを常時監視していれば、このような不正行為に気づくことができるが、監視カメラの画像の録画のみを行っている場合には、犯罪行為の画像を録画することができないという問題点があった。
【０００４】
本発明は、上述した問題点に鑑みてなされ、録画装置が勝手に操作されることを防止することができる監視カメラシステムを提供することを目的とする。
【０００５】
【課題を解決するための手段】
上述した問題点を解決し、上述した目的を達成するために、本発明の監視カメラシステムは、画像を撮像する撮像手段と、前記撮像手段にて撮像した画像信号を録画する画像処理部とを有し、前記画像処理部は、操作者によって前記録画を停止操作される操作手段と前記操作者の資格をチェックする資格認証手段を有し、前記資格認証手段にて前記操作者の資格を認証した場合に、前記操作手段の操作を有効とする。
【０００６】
【発明の実施の形態】
本発明による監視カメラシステムの実施例を図１乃至図４を参照して説明する。図１は、本実施例による監視カメラシステムの構成図である。１Ａ〜１Ｄは監視領域を撮像する監視カメラである。２は、コントローラで監視カメラ１Ａ〜１Ｄと同軸ケーブル５で接続され、監視カメラ１Ａ〜１Ｄから送出される画像及び音声信号を受信して処理を行う。３は、タイムラプスビデオで、コントローラ２と同軸ケーブル６で接続され、コントローラ２から送信された画像及び音声信号を受信して録画及び録音する。４は、警報装置で、コンロトローラ２及びタイムラプスビデオ３への不正行為等を監視し、異常が発生した場合に遠隔の図示しない警備センターに警報を送出する。
【０００７】
図２は、監視カメラ１の機能ブロック図である。１０はレンズやＣＣＤ等から構成される撮像部で、監視領域内の画像を撮像して所定の画像信号に変換する。１１は集音部であり、マイクロホンにて構成され、監視領域内の音声を集音して所定の音声信号に変換する。
１２は信号送出部で、撮像部１０及び集音部１１からの画像信号及び音声信号を所定の出力信号に変換して同軸ケーブル５を介して、コントローラ２に送出する。
【０００８】
図３は、コントローラ２の機能ブロック図である。２０は画像処理部で、同軸ケーブル５Ａ〜５Ｄを介して監視カメラ１Ａ〜１Ｄから受信した画像信号を処理して、４分割の１画像として合成する。また、画像信号が正常に受信しているか否かを検知する。２１は画像出力部で、画像処理部２０で合成した４分割画像をタイムラプスビデオ３に同軸ケーブル６を介して送出する。２２はＣ操作部で、スイッチ等で構成され、操作者がコントローラ２の各種の設定操作を行う。２３はＣＰＵ等で構成されるＣ制御部で、各部と接続されて動作制御を行う。２４は例えばＲＳ２３２Ｃで構成されるＩ／Ｆ部で、後述するＣ認証部２５からの信号を中継する。２５は例えばカードリーダから構成されるＣ認証部で、コントローラ２を操作する操作者の資格をチェックする。２６は、Ｃ電源部で、コントローラ２の各部に電源供給を行う。２７はＣ電源断検知部で、Ｃ電源部２６の電源が切断された場合にこれを検知して図示しないリレー接点を切り替える。２８は警報出力部で、例えば、画像処理部２０にて監視カメラ１Ａ〜１Ｄからの画像信号が途絶えた場合に、警報装置４へ警報信号を出力する。
【０００９】
図４は、タイムラプスビデオ３の機能ブロック図である。３１は録画部で、コントローラ２から受信した４分割の画像信号を受信してビデオテープに録画する。３２はＴ操作部で、録画の開始や停止、タイマー操作、ビデオテープの出し入れ等の操作を行う。３３はＣＰＵ等で構成されるＴ制御部で各部と接続されて、動作制御を行う。３４は例えばＲＳ２３２Ｃで構成されるＩ／Ｆ部で、後述するＴ認証部３５からの信号を中継する。３５は例えばカードリーダから構成されるＴ認証部で、タイムラプスビデオ３を操作する操作者の資格をチェックする。３６はＴ電源部で、タイムラプスビデオ３各部に電源供給を行う。３７はＴ電源断検知部で、Ｔ電源部３６の電源が切断された場合にこれを検知して図示しないリレー接点を切り替える。３８はＴ警報出力部で、例えば、録画部３１へのコントローラ２からの画像信号が途絶えた場合に、警報装置４へ警報信号を出力する。
【００１０】
次に、本発明による監視カメラシステムにおけるコントローラ２の操作を説明する。まず、監視カメラシステムの各部の電源をオンにする。監視カメラ１Ａ〜１Ｄはそれぞれ監視領域の画像を撮像部１０で撮像し、信号送出部１２にて例えばＮＴＳＣ方式の画像信号に変換して同軸ケーブル５Ａ〜５Ｄにて送出する。画像信号は、同軸ケーブル５Ａ〜５Ｄを介してコントローラ２の画像処理部２０に入力される。画像処理部２０は、監視カメラ１Ａ〜１Ｄの４つの画像を４分割の１画像として作成し、画像出力部２１にてタイムラプスビデオ３に出力する。
【００１１】
コントローラ２の操作を行う操作者は、先ず、Ｃ認証部２５のカードリーダに自己のＩＣカードを挿入し読み取り操作を行う。カードリーダはコントローラ２のＩ／Ｆ部２４とＲＳ２３２Ｃにて接続されており、カードリーダーで読みとったＩＤコードは、Ｉ／Ｆ部２４を介してＣ制御部２３に入力される。Ｃ制御部２３では予め登録し記憶しているＩＤコードと受信したＩＤコードを比較して一致しているか否かを判定する。ここで、ＩＤコードが一致していれば、操作者が操作する資格があるものとして、以後、Ｃ操作部２２による操作が有効となる。
Ｃ認証部２５のカード操作が行われない場合及びカード操作が行われてもＣ制御部２３によるＩＤコードが一致していない場合には、Ｃ操作部２２による操作は無効となる。
【００１２】
次に、タイムラプスビデオ３の操作について説明する。コントローラ２の画像出力部２１から送出された画像信号は同軸ケーブル６を介してタイムラプスビデオ３の録画部３１に入力される。録画部３１では入力された画像信号をビデオテープに録画する。タイムラプスビデオ３の操作を行う操作者は、先ず、Ｔ認証部３５のカードリーダに自己のＩＣカードを挿入し読み取り操作を行う。カードリーダーはコントローラ２のＩ／Ｆ部３４とＲＳ２３２Ｃにて接続されており、カードリーダーで読みとったＩＤコードはＩ／Ｆ３４を介してＴ制御部３３に入力される。Ｔ制御部３３では予め登録し記憶しているＩＤコードと受信したＩＤコードを比較して一致しているか否かを判定する。ここで、ＩＤコードが一致していれば、操作者が操作する資格があるとして、以後、Ｔ操作部３２による操作が有効となる。Ｔ認証部３５のカード操作が行われない場合及びカード操作が行われてもＴ制御部３３によ３るＩＤコードが一致していない場合には、Ｔ操作部３２による操作は無効となる。
【００１３】
以上のように、本実施例の監視カメラシステムでは、画像を処理するコントローラ２や、画像を録画する録画装置（例えばタイムラプスビデオ）の設定を操作する場合に操作者の資格のチェックを行うので、不正に設定操作を行われることが防止できる。
【００１４】
【図面の簡単な説明】
【図１】監視カメラシステムの構成図
【図２】監視カメラの機能ブロック図
【図３】コントローラの機能ブロック図
【図４】タイムラプスビデオの機能ブロック図
【符号の説明】
１…監視カメラ
２…コントローラ
２５…Ｃ認証部
３…タイムラプスビデオ
３５…Ｔ認証部
４…警報装置
５、６…同軸ケーブル
【図１】
0004445056.tif 000002
【図２】
0004445056.tif 000003
【図３】
0004445056.tif 000004
【図４】
0004445056.tif 000005